(57)【特許請求の範囲】
【請求項１】
噴射ヘッドに設けられた噴射ノズルから、沈降性の成分を含んだ液体を噴射させる液体噴射装置であって、
前記液体が収容された液体収容容器と、
前記液体収容容器内の液体が前記噴射ヘッドまで導かれる液体通路と、
前記噴射ヘッド内の液体が前記噴射ノズルから排出される液体排出手段と、
前記液体を噴射あるいは排出してからの経過時間が計時される計時手段と
を備え、
前記液体通路には、
水平方向に沿って形成された第１通路領域と、
前記第１通路領域よりも前記液体の流通方向の上流側で、前記沈降成分の沈降方向に沿って形成された第２通路領域と、
前記第２通路領域よりも前記液体の流通方向の上流側で、水平方向に沿って形成された第３通路領域と
が設けられており、
前記液体排出手段は、前記計時手段によって計時される前記経過時間が所定の閾値時間に達した場合には、前記噴射ノズルから所定量の前記液体を排出することによって、前記第２通路領域に存在している分量の液体を前記第２通路領域から前記第１通路領域に移動させる手段である液体噴射装置。
【請求項２】
前記第２通路領域よりも下流側の前記液体通路内および前記噴射ヘッド内の合計容積は、前記第２通路領域内の容積よりも大きな容積に設定されている請求項１に記載の液体噴射装置。
【請求項３】
請求項１に記載の液体噴射装置であって、
前記噴射ヘッドの前記噴射ノズルが形成されたノズル面に当接されて、該噴射ノズルの周囲に閉空間を形成するキャップ部材と、
前記キャップ部材に接続されて、前記閉空間に負圧を作用させる吸引ポンプと
を備え、
前記液体排出手段は、前記ノズル面に前記キャップ部材が当接された状態で前記吸引ポンプを作動させて、前記噴射ノズルから前記液体を吸引することによって、前記液体を排出する手段である液体噴射装置。
【発明の詳細な説明】
【技術分野】
【０００１】
本発明は、噴射ノズルから液体を噴射する技術に関する。
【背景技術】
【０００２】
微細な噴射ノズルが設けられた噴射ヘッドから、インクなどの液体を噴射する液体噴射装置が知られている。この液体噴射装置では、噴射しようとする液体（たとえばインク）を専用の容器（たとえばインクカートリッジ）に収容しておき、容器内の液体を、通路を介して噴射ヘッドに供給することによって噴射している。
【０００３】
また、噴射しようとする液体の成分には、沈降性の成分が使用されることがある。たとえばインクの場合であれば、いわゆる耐候性を高めたり、あるいは発色性を改善したりするなどの目的で顔料が用いられることがある。顔料は、インクの溶媒（水やアルコールなど）には溶けずに懸濁した状態となっているので、インクを長期間放置していると溶媒中で顔料が沈降する。その結果、インク中に顔料濃度の濃い部分と薄い部分とが発生して、画像を適切に印刷することができなくなってしまう。
【０００４】
そこで、沈降性の成分を含むインク（以下、「沈降性のインク」という）を搭載したインクジェットプリンターでは、噴射ヘッド内でインクの沈降が発生したと判断されると、噴射ノズルからインクを吸引することによって、沈降の進んだインクを排出する技術が提案されている（特許文献１）。
【先行技術文献】
【特許文献】
【０００５】
【特許文献１】特開２００２−２３４１９６号公報
【発明の概要】
【発明が解決しようとする課題】
【０００６】
しかし、噴射しようとする液体（インクなど）中の含有成分の沈降は、噴射ヘッドの内部だけでなく、収容容器から噴射ヘッドに液体を供給する通路内でも発生する。通路内で発生した沈降は、液体が通路内を通って噴射ヘッドに達するまでの間にある程度まで回復するが、それでも回復不能な程度にまで沈降が進んでしまった場合には、噴射ヘッド内の液体だけでなく、通路内の液体も排出しなければならず、多量の液体が無駄になってしまうという問題がある。特に、液体を収容する専用容器が噴射ヘッドから離れた位置に設けられており、長いチューブなどを介して噴射ヘッドに液体を供給する方式の液体噴射装置では、チューブ内に存在する多量の液体を排出しなければならないので、こうした問題がより一層顕著に現れる。
【０００７】
この発明は、従来の技術における上述した課題に対応してなされたものであり、噴射しようとする液体中で含有成分の沈降が生じた場合でも、使用することなく液体を排出することを、抑制することが可能な技術の提供を目的とする。
【課題を解決するための手段】
【０００８】
上述した課題の少なくとも一部を解決するために、本発明の液体噴射装置は次の構成を
採用した。すなわち、
噴射ヘッドに設けられた噴射ノズルから、沈降性の成分を含んだ液体を噴射させる液体噴射装置であって、
前記液体が収容された液体収容容器と、
前記液体収容容器内の液体が前記噴射ヘッドまで導かれる液体通路と、
前記噴射ヘッド内の液体が前記噴射ノズルから排出される液体排出手段と、
前記液体を噴射あるいは排出してからの経過時間が計時される計時手段と
を備え、
前記液体通路には、
水平方向に沿って形成された第１通路領域と、
前記第１通路領域よりも前記液体の流通方向の上流側で、前記沈降成分の沈降方向に沿って形成された第２通路領域と、
前記第２通路領域よりも前記液体の流通方向の上流側で、水平方向に沿って形成された第３通路領域と
が設けられており、
前記液体排出手段は、前記計時手段によって計時される前記経過時間が所定の閾値時間に達した場合には、前記噴射ノズルから所定量の前記液体を排出することによって、前記第２通路領域に存在している分量の液体を前記第２通路領域から前記第１通路領域に移動させる手段であることを要旨とする。
【０００９】
このような本発明の液体噴射装置においては、液体収容容器内の液体を、液体通路を介して噴射ヘッドに導いて噴射ノズルから噴射する。また、噴射ノズルから噴射するために噴射ヘッド内に導いた液体を、実際には噴射することなく、噴射ノズルから無用に排出してしまうことも可能となっている。ここで、「噴射」も「排出」も、噴射ノズルから液体が流出する点では同じであるが、本明細書において「噴射」とは、液体噴射装置の本来の目的で噴射ノズルから液体を流出させることを指しており、これに対して「排出」とは、「噴射」以外で噴射ノズルから液体を流出させることを指しているものとする。また、液体収容容器から噴射ヘッドまでの液体通路には、液体中に含まれる沈降性の成分が沈降する方向（沈降方向）に対して、通路方向が略直交する方向の第１通路領域と、第１通路領域よりも上流側（液体収容容器側）で、通路方向が、第１通路領域に比べれば沈降方向に近い（沈降方向に沿った）第２通路領域とが形成されている。そして、噴射ノズルからの液体の噴射あるいは排出が終了すると、経過時間の計時を開始して、経過時間が所定の閾値時間に達した場合には、噴射ノズルから所定量の液体を排出することにより、第２通路領域の液体を第１通路領域まで移動させる。尚、噴射ノズルから排出する液体量（すなわち所定量）は、第２通路領域の液体を第１通路領域まで移動させることが可能な分量であればよく、少なくとも第２通路領域内に存在する液体の分量以上であればよい。
【００１０】
詳細なメカニズムについては後述するが、第１通路領域で液体に生じる沈降は、液体が液体通路を流れて噴射ヘッドに達するまでに、かなりの程度まで解消される。これに対して、第２通路領域で生じた沈降は、液体が液体通路を流れることによっては解消されないので、第２通路領域での沈降が進むと、液体の噴射に支障が生じるようになる。これを回避するためには、液体を噴射するに先立って、第２通路領域の液体を排出しておかなければならず、そのためには、より下流側（噴射ヘッド側）の液体通路内および噴射ヘッド内の液体を全て排出する必要が生じる。これに対して、本発明の液体噴射装置では、噴射ノズルから液体を噴射あるいは排出した後、所定の閾値時間が経過すると、第２通路領域の液体を第１通路領域まで移動させるので、第２通路領域に存在する液体の沈降を抑制することができる。その結果、液体を噴射するに先立って、第２通路領域よりも下流側（噴射ヘッド側）にある全ての液体を排出する必要がなくなるので、無用に液体を排出することを大幅に抑制することが可能となる。
【００１１】
尚、上述したように第２通路領域は、広い意味では、液体通路の中で、第１通路領域に比べて通路方向が沈降方向に近い部分と把握することができる。これは、第１通路領域に比べて通路方向が沈降方向に近ければ、沈降が発生したときに、液体中の沈降性の成分が通路方向に移動することになるからである。しかし狭い意味では、液体通路の中で、通路方向が、沈降方向に直交する方向よりは、沈降方向に近い部分を、第２通路領域と把握することも可能である。何故なら、液体通路のこのような部分では、沈降性の成分の移動量は、通路の断面方向への移動量よりも、通路方向への移動量の方が大きくなるからである。そして、このようの第２通路領域を狭義に把握した場合には、第２通路領域と第１通路領域との間に、一種の緩衝領域が発生するが、このような場合でも、第２通路領域の液体を第１通路領域まで移動させることによって、無用に液体が排出されることを大幅に抑制することが可能となる。また、このときに噴射ノズルから排出する液体の分量（所定量）としては、狭義の意味での第２通路領域に存在する液体の分量から、広義の意味での第２通路領域に存在する液体の分量までの範囲で、自由に設定することができる。もちろん、必要に応じて、それ以上の分量の液体を排出しても構わない。
【００１２】
また、上述した本発明の液体噴射装置においては、第２通路領域よりも下流側（噴射ヘッド側）にある液体通路内の容積と、噴射ヘッド内で液体が供給される部分の容積との合計容積を、第２通路領域内の容積よりも大きな容積に設定しておいても良い。
【００１３】
こうすれば、第２通路領域の液体を第１通路領域に移動させたときに、第２通路領域内にあった液体が噴射ノズルから排出されることがない。このため、次に液体を噴射する際には、第２通路領域から移動させた液体を用いて噴射することができるので、液体通路内の液体を有効に利用することが可能となる。
【００１４】
また、上述した本発明の液体噴射装置においては、次のようにして、噴射ヘッド内の液体を排出することとしても良い。先ず、噴射ヘッドの外表面の中で噴射ノズルが形成されている部分（ノズル面）に当接することで、噴射ノズルの周囲に閉空間を形成するキャップ部材を設けておく。また、キャップ部材に接続されて、閉空間に負圧を作用させることが可能な吸引ポンプを設けておく。そして、噴射ヘッドのノズル面にキャップ部材を当接させた状態で吸引ポンプを作動させ、負圧によって噴射ノズルから液体を吸引することによって、液体を排出するようにしてもよい。
【００１５】
このようなキャップ部材を設けておけば、液体を噴射しない間はノズル面にキャップ部材を当接させておくことで、噴射ノズルから液体の乾燥が進むことを抑制することが可能となる。また、経過時間が閾値時間に達して液体を排出させる場合でも、キャップ部材をノズル面に当接させたまま、吸引ポンプを作動させるだけで、所定量の液体を簡単に排出することが可能となる。
【図面の簡単な説明】
【００１６】
【図１】本実施例の液体噴射装置としてのインクジェットプリンターを例示した説明図である。
【図２】噴射ヘッドを往復動させるための駆動部やロール紙を紙送りするための紙送り部の大まかな構成を示した説明図である。
【図３】本実施例のインクジェットプリンターが噴射ヘッドを往復動させながら画像を印刷する様子を概念的に示した説明図である。
【図４】インクチューブ内でインクの沈降が発生する様子を概念的に示した説明図である。
【図５】本実施例のインクジェットプリンターが印刷を行わない間に実行する放置時インク管理処理のフローチャートである。
【図６】本実施例の放置時インク管理処理によって閾値時間が経過する度に所定量のインクが排出される様子を示した説明図である。
【図７】本実施例の放置時インク管理処理によってインクの排出量が抑制される理由を示した説明図である。
【図８】インクチューブ内でマイナスの沈降が生じる様子を示した説明図である。
【発明を実施するための形態】
【００１７】
以下では、上述した本願発明の内容を明確にするために、次のような順序に従って実施例を説明する。
Ａ．装置構成：
Ｂ．印刷動作の概要：
Ｃ．本実施例の放置時インク管理処理：
【００１８】
Ａ．装置構成  ：
図１は、本実施例の液体噴射装置としてのインクジェットプリンター１００を例示した説明図である。図示したインクジェットプリンター１００は、ＪＩＳ規格のＡ１判やＢ１判などのいわゆる大判サイズの印刷用紙に印刷するラージフォーマットプリンター（ＬＦＰ）であるが、Ａ４判やハガキ判などの、より小さなサイズの印刷用紙に印刷する家庭用のプリンターであっても構わない。
【００１９】
図示されるように、インクジェットプリンター１００は、大まかに言うと、本体ケース１１０や、本体ケース１１０の上面側に設けられて印刷用紙が装填される給紙部１２０などによって構成されており、本体ケース１１０の内部には、印刷用紙に向かってインクを噴射するためのインク噴射部１３０や、インクの乾燥を防ぐなどインクの状態を管理するためのインクメンテナンス部１４０や、インクジェットプリンター１００の全体の動作を制御する制御部１５０などが搭載されている。
【００２０】
給紙部１２０は、スピンドル部１２２や、カバー部１２４などから構成されている。スピンドル部１２２は、両端を回転可能に軸支された軸状部材であり、ロール状の印刷用紙（以下、ロール紙という）が装着される。また、スピンドル部１２２の両端には、軸方向に沿って摺動可能なロール紙押さえが設けられており、スピンドル部１２２に装着されたロール紙が軸方向に動かないように固定することが可能となっている。更に、スピンドル部１２２に装着したロール紙が汚損することを回避するために、跳ね上げ式のカバー部１２４が設けられている。ロール紙をスピンドル部１２２に装着する際には、カバー部１２４を跳ね上げてスピンドル部１２２を露出させ、給紙部１２０から取り出したスピンドル部１２２にロール紙を装着する。そして、ロール紙が装着されたスピンドル部１２２を給紙部１２０にセットした後、カバー部１２４の先端を押し下げるようにしてカバー部１２４を閉じてやる。こうしておけば、給紙部１２０に装填したロール紙の汚損を防ぐことができる。
【００２１】
インク噴射部１３０は、インクを噴射する噴射ヘッド１３２や、噴射ヘッド１３２で噴射するインクが収容されているインクカートリッジ１３４や、インクカートリッジ１３４内のインクを噴射ヘッド１３２に供給するためのインクチューブ１３６などによって構成されている。噴射ヘッド１３２は、印刷用紙と向き合う側の面に、複数の微細な噴射ノズルが設けられており、噴射ノズルからインクを噴射することによって、印刷用紙上に文字や画像などを印刷することが可能となっている。尚、噴射ヘッド１３２の印刷用紙と向き合う側で、複数の噴射ノズルが形成されている部分の表面は、「ノズル面」と呼ばれている。また、インクジェットプリンター１００では、シアンインクや、マゼンタインク、イエローインク、ブラックインクなどの複数種類のインクが用いられており、インクカートリッジ１３４や噴射ヘッド１３２、インクチューブ１３６は、インクの種類毎に設けられているが、図１では、図示が煩雑となることを避けるために、１つのインク種類についてのみ表示されている。
【００２２】
インクメンテナンス部１４０は、中央に凹部が形成されたキャップ１４２や、性状が劣化したために噴射ヘッド１３２から排出されたインクを貯めておくための廃インクタンク１４４などから構成されている。キャップ１４２は、図示しない駆動機構によって噴射ヘッド１３２のノズル面に当接させたり、ノズル面から離間させたりすることが可能となっており、画像の印刷を行わない間はノズル面に当接されている。こうすることで、噴射ノズルがキャップ１４２によって覆われるので、噴射ノズルからインクが乾燥することを抑制することができる。それでもインクの乾燥が進むなどしてインクの性状が劣化した場合には、キャップ１４２の凹部に向かって噴射ヘッド１３２からインクを噴射したり、あるいは噴射ヘッド１３２のノズル面にキャップ１４２を当接したまま、図示しない吸引ポンプを作動させて、キャップ１４２の凹部に負圧を作用させることにより、劣化したインクを噴射ノズルからインクを吸引したりする。こうして噴射ヘッド１３２の噴射ノズルから排出されたインクは、チューブを介して廃インクタンク１４４に流入して蓄えられるようになっている。
【００２３】
また、本体ケース１１０の上面には、ユーザーがインクジェットプリンター１００を操作するための操作パネル１１２が設けられている。操作パネル１１２には、液晶装置などによって構成される表示画面（図示は省略）や、各種の操作ボタン（図示は省略）などが搭載されており、ユーザーは、表示画面を確認しながら操作ボタンを操作することで、インクジェットプリンター１００を操作することが可能である。
【００２４】
また、図１では図示が省略されているが、本体ケース１１０の内部には、印刷用紙の表面に沿って噴射ヘッド１３２を往復動させるための駆動部や、給紙部１２０のロール紙を巻き出して紙送りするための紙送り部なども設けられている。
【００２５】
図２は、噴射ヘッド１３２を往復動させるための駆動部１６０や、ロール紙を紙送りするための紙送り部１７０の大まかな構成を示した説明図である。図示されるように駆動部１６０は、噴射ヘッド１３２が往復動する動きをガイドするガイドレール１６２や、ガイドレール１６２に沿って噴射ヘッド１３２を往復動するための駆動ベルト１６４や、駆動ベルト１６４を張設する一対のプーリー１６６や、駆動ベルト１６４を駆動するための駆動モーター１６８などから構成されている。駆動ベルト１６４の一箇所には噴射ヘッド１３２が固定されており、駆動モーター１６８を正方向あるいは負方向に回転させて駆動ベルト１６４を駆動すると、ガイドレール１６２にガイドされながら噴射ヘッド１３２が往復動するようになっている。
【００２６】
また、紙送り部１７０は、ガイドレール１６２と平行に設けられた紙送りローラー１７２や、紙送りローラー１７２を回転させる紙送りモーター１７４や、ローラー１７２に沿って設けられた図示しない従動ローラーなどから構成されている。紙送りローラー１７２は、ロール紙を幅方向に横断する長さを有する長尺の円柱部材によって形成されている。また、ロール紙は給紙部１２０に装填されると、一端が紙送りローラー１７２の位置まで巻き出されて、紙送りローラー１７２と従動ローラーとの間に挿入される。するとロール紙は、従動ローラーによって適度な力で紙送りローラー１７２に押し付けられた状態となる。そして、この状態で紙送りモーター１７４を回転させると、紙送りローラー１７２の回転に従って、ロール紙が少しずつ引き出されながら噴射ヘッド１３２の方向に紙送りされていく。
【００２７】
これら駆動モーター１６８や紙送りモーター１７４の動作は、制御部１５０によって制御されている。また、噴射ヘッド１３２がインクを噴射する動作も、制御部１５０の制御の下で行われている。更に、前述したように、噴射ヘッド１３２のノズル面に当接させるためにキャップ１４２を移動させる動作や、ノズル面にキャップ１４２を当接した状態で吸引ポンプ１４６を作動させて噴射ノズルからインクを吸い出す動作も、制御部１５０の制御の下で行われている。このように制御部１５０は、インクジェットプリンター１００で行われるほとんど全ての動作に関わっており、印刷の開始や終了、あるいはキャップ１４２内へのインクの噴射や、インクの吸引などが行われると、それらのタイミングを正確に把握することが可能である。このことと対応して、本実施例のインクジェットプリンター１００の制御部１５０には経過時間計時部１５２が搭載されており、この経過時間計時部１５２では、印刷や、キャップ１４２内へのインクの噴射や、インクの吸引などが最後に行われてからの経過時間を計時するようになっている。
【００２８】
Ｂ．印刷動作の概要  ：
図３は、本実施例のインクジェットプリンター１００が、噴射ヘッド１３２を往復動させながら画像を印刷する様子を概念的に示した説明図である。図３（ａ）および図３（ｂ）に示されるように、噴射ヘッド１３２は、ガイドレール１６２に沿って往復動しながら、印刷用紙（ロール紙）に向かってインクを噴射することによって画像を印刷する。噴射ヘッド１３２とインクカートリッジ１３４とは、十分な長さのインクチューブ１３６によって接続されており、図示しないインク加圧機構によって、絶えずインクカートリッジ１３４から噴射ヘッド１３２にインクが供給されるようになっている。また、印刷を終了すると、図３（ｃ）に示されるように、噴射ヘッド１３２をキャップ１４２の位置まで移動させ、図示しない駆動機構によってキャップ１４２を押し上げて噴射ヘッド１３２のノズル面に当接させる。こうすると、噴射ノズルをキャップ１４２で覆うことができるので、長時間、印刷を行わない場合でも、噴射ノズルの開口部分からインク中の水分や揮発成分などが蒸発あるいは揮発して、インクの性状が劣化することを抑制することができる。
【００２９】
ここで、噴射ヘッド１３２をキャップ１４２の位置まで移動させると、図３（ｃ）に示したように、インクチューブ１３６は、ほぼ中央の位置で２つの折り返された状態となる。その結果、噴射ヘッド１３２の上流側には、インクチューブ１３６が略水平になる部分（図中の「Ａ」の部分。以下、領域Ａという）が形成され、領域Ａの下流側（インクカートリッジ１３４側）には、領域Ａに比べて、インクチューブ１３６が鉛直方向に向かう部分（図中の「Ｂ」の部分。以下、領域Ｂという）が形成されることになる。尚、図３（ｃ）では、噴射ヘッド１３２に隣接して領域Ａが形成され、領域Ａに隣接して領域Ｂが形成されているものとして表示しているが、噴射ヘッド１３２と領域Ａ、あるいは領域Ａと領域Ｂとは必ずしも隣接している必要はなく、これら領域の間に何某かの中間領域や、緩衝領域が形成されていても良い。
【００３０】
また、インクは、水やアルコールなどの溶媒に、色を出すための色材や、粘度を調整するための添加剤や、界面活性剤などの各種成分を加えることによって製造されるが、溶媒に溶けない成分が加えられることがある。たとえば、耐候性に優れた色材である顔料は、染料とは違って水やアルコールなどには溶けないので、界面活性剤の作用によって溶媒中に懸濁した状態で存在している。このため、長い間インクを放置しておくと、懸濁していた顔料が、重力の影響で次第に沈降し、顔料濃度の濃い部分と、顔料濃度の薄い部分とができてしまう。尚、本明細書では、顔料のように、インクの溶媒に溶けずに懸濁した状態で存在する成分を、「沈降性の成分」と呼ぶことにする。また、沈降性の成分を含むインクを、「沈降性のインク」と呼び、更に、インク中の沈降性の成分が沈降することを、「インクの沈降」と呼ぶことがあるものとする。
【００３１】
このように沈降性のインクを用いた場合は、インク中の水分や揮発成分が蒸発あるいは揮発してインクが乾燥するだけでなく、インク中で沈降性の成分が沈降することによっても、インクの性状が劣化する。そして、インクの沈降による悪影響は、図３（ｃ）中の領域Ａよりも領域Ｂの部分で顕著に現れる。これは次の理由によるものである。
【００３２】
図４は、インクチューブ１３６内でインクの沈降が発生する様子を概念的に示した説明図である。図４（ａ）には、インクチューブ１３６の領域Ａでインクの沈降が発生する様子が示されており、図４（ｂ）には、インクチューブ１３６の領域Ｂでインクの沈降が発生する様子が示されている。
【００３３】
先ず初めに図４（ａ）を参照しながら、領域Ａで発生するインクの沈降について説明する。前述したように領域Ａの部分では、インクチューブ１３６が略水平方向を向いているから、インク中に含まれる沈降性の成分（顔料など）は、インクチューブ１３６の断面方向（インクチューブ１３６の軸方向に対して略直交する方向）に沈降する。その結果、インクチューブ１３６の断面方向に、顔料などの沈降性の成分が濃い部分と薄い部分とが発生することになる。ちなみに、このような濃度の不均一が生じても、沈降性の成分がインクチューブ１３６の軸方向に移動することはほとんどない。
【００３４】
これに対して領域Ｂの部分では、インクチューブ１３６の軸方向が、水平方向から鉛直方向に傾いているので、顔料などの沈降性の成分が沈降すると、インクチューブ１３６の軸方向にも移動する。その結果、図４（ｂ）に示されているように、領域Ｂの部分には、沈降性の成分が薄くなった領域Ｂ１と、沈降性の成分が濃くなった領域Ｂ２とが生じる。すなわち、インクチューブ１３６の軸方向に、沈降性の成分濃度が濃い部分と、薄い部分とが発生することになる。
【００３５】
このようにしてインクの沈降が発生した状態から、印刷を開始するために噴射ヘッド１３２からインクを噴射すると、インクチューブ１３６内にインクの流れが発生し、この流れが、沈降していた成分を巻き上げるようにしてインクを撹拌する。その結果、領域Ａで生じていたような、インクチューブ１３６の断面方向への濃度の不均一は、比較的速やかに解消される。
【００３６】
これに対して、領域Ｂでは、インクチューブ１３６の軸方向に濃度の不均一が生じており、このような濃度の不均一は、インクの流れによって解消することは困難である。何故なら、インクチューブ１３６の断面は小さいので、インクチューブ１３６内のインクの流れによって領域Ｂ２のインク（成分濃度の濃いインク）が移動すると、それと同時に領域Ｂ１のインク（成分濃度の薄いインク）も移動してしまうので、領域Ｂ２のインクと領域Ｂ１のインクとが、互いに混じり合い難いためである。
【００３７】
もちろん、領域Ｂ１にあるインクも、領域Ｂ２にあるインクも、インクチューブ１３６内にインクの流れが生じると、断面方向には比較的速やかに撹拌される。しかし、インクチューブ１３６の軸方向への撹拌はなかなか進まないので、領域Ｂ１のインクは、沈降性の成分濃度が薄いまま噴射ヘッド１３２に供給されてしまい、領域Ｂ２のインクは、沈降性の成分濃度が濃いまま噴射ヘッド１３２に供給されてしまう。その結果、領域Ｂ１にあったインクを噴射して印刷した部分は画像が薄くなり、領域Ｂ２にあったインクを噴射した部分は画像が濃くなって、画像にムラが生じてしまう。更に、領域Ａの部分のインクは、噴射ヘッド１３２に供給されるまでの間に撹拌されて、沈降性の成分濃度がほぼ正常になっている。このため、特に大判の印刷用紙に画像を印刷している場合などには、初めのうちは正常に印刷できていたにも拘わらず、途中で画像が薄くなり、その後、画像が濃くなってしまい、印刷用紙が無駄になるだけでなく、途中までの印刷に要した時間も無駄になってしまう。
【００３８】
こうしたことを避けるためには、印刷を開始するに先立って、少なくとも領域Ｂ１にあるインクおよび領域Ｂ２にあるインクを排出する必要があり、そのためには、それより下流側（噴射ヘッド１３２側）にあるインクチューブ１３６内のインクや、噴射ヘッド１３２内のインクも排出しなければならないので、多量のインクが無駄になってしまう。そこで、本実施例のインクジェットプリンター１００では、沈降によって排出するインク量をできるだけ抑制するために、印刷を行っていない間は以下のような処理を行うこととしている。
【００３９】
Ｃ．本実施例の放置時インク管理処理  ：
図５は、本実施例のインクジェットプリンター１００が印刷を行わない間に実行する放置時インク管理処理のフローチャートである。この処理は、インクジェットプリンター１００に搭載された制御部１５０によって実行される処理である。
【００４０】
図示されるように、放置時インク管理処理では、先ず初めに、画像の印刷が終了したか否かを判断する（ステップＳ１００）。前述したように、画像を印刷するための各種の動作は制御部１５０によって制御されていることから、制御部１５０は、画像の印刷が終了したか否かを直ちに判断することができる。その結果、画像の印刷を終了していない（すなわち、印刷中）と判断された場合は（ステップＳ１００：ｎｏ）、同様の判断を繰り返しながら、そのまま待機状態となっている。そして、画像の印刷が終了したと判断したら（ステップＳ１００：ｙｅｓ）、経過時間計時部１５２（図２を参照のこと）に設けられたタイマーをセットすることによって、印刷終了からの経過時間の計時を開始する（ステップＳ１０２）。
【００４１】
こうして計時を開始したら、計時中の経過時間が所定の閾値時間に達したか否かを判断する（ステップＳ１０４）。ここで閾値時間は、図４を用いて前述した領域Ｂでのインクの沈降が、画質に悪影響を与えることのない時間に設定されている。すなわち、インクの沈降が進むほど、図４に示した領域Ｂ１のインクは薄くなり、領域Ｂ２のインクは濃くなるので、印刷終了からの経過時間が長くなるほど画質に与える悪影響は大きくなる。逆に言えば、経過時間が短ければ、画質に悪影響を与えることなく画像を印刷することができる。そこで、画質に与える影響が許容範囲を超える経過時間を、実験的な手法によって予め求めておく。そして、本実施例の放置時インク管理処理では、こうして得られた経過時間（許容限界時間）よりも若干短い時間が、閾値時間として設定されている。ちなみに、本実施例のインクジェットプリンター１００では、実験的に求められた許容限界時間が７２時間であり、閾値時間は、多少の余裕を見越して、６０時間に設定されている。
【００４２】
印刷を終了した直後は、当然ながら、経過時間が閾値時間に達していないから（ステップＳ１０４：ｎｏ）、今度は画像の印刷が開始されたか否かを判断する（ステップＳ１０６）。その結果、印刷が開始されていなければ（ステップＳ１０６：ｎｏ）、再び、経過時間が閾値時間に達したか否かを判断する（ステップＳ１０４）。本実施例の放置時インク管理処理では、経過時間の計時を開始した後は、経過時間が閾値時間に達するか、画像の印刷が開始されるまで、このような判断を繰り返す。
【００４３】
その結果、経過時間が閾値時間に達する前に、画像の印刷が開始されたと判断された場合は（ステップＳ１０６：ｙｅｓ）、再び処理の先頭に戻って、印刷が終了したか否かを判断する（ステップＳ１００）。そして、印刷が終了したら（ステップＳ１００：ｙｅｓ）、経過時間計時部１５２のタイマーをセットして、経過時間の計時を開始する（ステップＳ１０２）。
【００４４】
これに対して、画像の印刷が開始されないまま、経過時間が閾値時間に達した場合には（ステップＳ１０４：ｙｅｓ）、噴射ヘッド１３２のノズル面にキャップ１４２を当接させたまま、吸引ポンプ１４６（図２を参照のこと）を作動させることによって、噴射ノズルから所定量のインクを吸引する（ステップＳ１０８）。このとき吸引するインク量（所定量）は、図４に示した領域Ｂに存在するインク量とほぼ同じ体積（正確には、領域Ｂのインク量よりも少しだけ多め）のインク量に設定されている。また、噴射ヘッド１３２の噴射ノズルから吸い出されるインク量は、吸引ポンプ１４６の作動時間によって決まるから、予め定めておいた所定時間だけ吸引ポンプ１４６を作動させることによって、所定量のインクを吸引することができる。
【００４５】
こうして所定量のインクを吸引したら、ステップＳ１０２に戻って経過時間計時部１５２のタイマーをセットし直した後、経過時間が閾値時間に達したか（ステップＳ１０４）、あるいは印刷が開始されたか（ステップＳ１０６）の判断を繰り返す。
【００４６】
尚、以上の説明では、経過時間が閾値時間に達した場合に（ステップＳ１０４：ｙｅｓ）、吸引ポンプ１４６を作動させてインクを吸い出すものとして説明した。これは、インクジェットプリンター１００は、印刷を行っていない間は、噴射ヘッド１３２の噴射ノズルの部分からインクが乾燥することを抑制するために、噴射ヘッド１３２のノズル面にキャップ１４２を当接させており、従って、吸引ポンプ１４６を作動させるだけで噴射ノズルからインクを吸い出すことができるからである。しかし、噴射ノズルから所定量のインクを排出することができれば、必ずしも吸引ポンプ１４６を用いてインクを吸い出さなくても構わない。たとえば、噴射ヘッド１３２のノズル面にキャップ１４２を当接させたまま、あるいは一時的にノズル面からキャップ１４２を離間させた状態で、噴射ノズルからインクをキャップ１４２に向けてインクを噴射することによって、所定量のインクを排出するようにしても良い。
【００４７】
図６は、上述した放置時インク管理処理によって閾値時間が経過する度に、所定量のインクが排出される様子を示した説明図である。図６（ａ）には、印刷を終了した直後のインクチューブ１３６内のインクの状態が概念的に示されている。印刷を終了した直後は、インクチューブ１３６内のインクには、全く沈降は生じていない。図６では、沈降の生じていないインクを黒く塗り潰すことによって表している。また、何某かの沈降が生じたインクは斜線を付して表すことにする。尚、図６（ａ）に示した段階では、噴射ノズルからのインクの乾燥を抑制するために、既にキャップ１４２は噴射ヘッド１３２のノズル面に当接されている。この状態で印刷が行われないまま放置されると、インクチューブ１３６内のインクでは、時間の経過とともにインクの沈降が進行していく。
【００４８】
図６（ｂ）には、印刷が行われないまま閾値時間が経過したときの、インクチューブ１３６内のインクの状態が、概念的に示されている。インクチューブ１３６の軸方向が略水平方向を向いている部分（すなわち、領域Ａ）では、図４（ａ）を用いて前述したように、断面方向へのインクの沈降が発生する。また、インクチューブ１３６の軸方向が、水平方向から多少なりとも鉛直方向（沈降方向）に傾いている部分（すなわち、領域Ｂ）では、図４（ｂ）を用いて前述したように、軸方向へもインクの沈降が発生し、その結果、領域Ｂには、成分濃度の薄い部分（図４（ｂ）に示した領域Ｂ１）と、成分濃度の濃い部分（図４（ｂ）に示した領域Ｂ２）とが発生する。
【００４９】
もっとも、前述したように閾値時間は、許容限界時間よりも短く設定されているから、インク中に成分濃度の薄い部分と濃い部分とが発生してはいるものの、この状態で画像を印刷しても画質に悪影響を与えることはない。このことと対応して、図６（ｂ）では、領域Ｂ中でインクの成分濃度が薄くなっている部分のインクの状態を「状態ｂ１」と表示し、成分濃度が濃くなっている部分のインクの状態を「状態ｂ２」と表示している。すなわち、状態ｂ１あるいは状態ｂ２のインクは、成分濃度が薄くあるいは濃くなっているが、画質に影響を与えるほどではない状態のインクである。また、このことと対応して、領域Ａに存在するインクの状態についても、図６（ｂ）では「状態ａ」と表示している。この状態のインクは、インクチューブ１３６の断面方向に沈降が発生しているものの、沈降の程度はそれほど進んでいないインクである。
【００５０】
図５を用いて前述したように、本実施例の放置時インク管理処理では、閾値時間が経過すると、所定量のインクが噴射ノズルから排出される（図５のステップ１０８参照）。また、このとき排出されるインク量（所定量）は、インクチューブ１３６の領域Ｂに存在するインク量とほぼ同じインク量に設定されている。
【００５１】
図６（ｃ）には、所定量のインクを排出した直後の状態が示されている。噴射ヘッド１３２から所定量のインクが排出されたことに伴って、インクチューブ１３６の領域Ａに存在していたインク（状態ａのインク）が噴射ヘッド１３２に吸い込まれ、領域Ｂに存在していたインク（状態ｂ１および状態ｂ２のインク）は、領域Ａの部分（インクチューブ１３６が略水平となっている部分）に移動する。また、それまで状態ｂ１および状態ｂ２のインクが存在していた領域Ｂには、より上流側の、インクチューブ１３６が略水平な部分からインクが移動する。領域Ｂよりも上流側（インクカートリッジ１３４側）のインクチューブ１３６は略水平となっていることから、領域Ｂに移動してくるインクは状態ａのインクである。更に、図４（ａ）を用いて前述したように、インクチューブ１３６の断面方向に生じたインクの沈降は、インクチューブ１３６内をインクが流れることによって速やかに解消されるから、上流側から領域Ｂに移動してくるインクは、実際には、かなりの程度まで沈降が回復したインクとなっている。
【００５２】
また、領域Ｂよりも上流側のインクチューブ１３６が水平な部分には、インクカートリッジ１３４からインクが供給される。このインクは、インクカートリッジ１３４から供給されるので、全く沈降の発生していないインクであると考えられる。このことと対応して、図６（ｃ）では、インクカートリッジ１３４から供給されるインクを黒く塗り潰して表している。もっとも、インクチューブ１３６の水平な部分に元からあったインクも、インクが流れることによってかなりの程度まで沈降が回復している。このため実際には、インクカートリッジ１３４から新たに供給されたインクと、インクチューブ１３６内で閾値時間の間、放置されていたインクとの間で、インクの状態がそれほど大きく変わることはない。
【００５３】
図５を用いて前述したように、本実施例の放置時インク管理処理では、以上のようにして閾値時間が経過した時点で噴射ノズルから所定量のインクを排出すると、再び経過時間の計時を開始する。そして、閾値時間が経過する前に画像の印刷が開始された場合は、図６（ｃ）に示す状態から印刷が開始されることになる。その結果、噴射ヘッド１３２内のインクを噴射した後は、先ず初めに状態ａのインクを用いて印刷が行われる。状態ａのインクはインクチューブ１３６の断面方向に沈降が発生しているが、この方向に沈降したインク成分は、前述したようにインクが流れることによって撹拌されるので、噴射ヘッド１３２に供給されるまでにはインクの沈降が解消されている。
【００５４】
更に印刷を継続していると、やがて、状態ｂ１のインクを用いて印刷が行われ、続いて状態ｂ２のインクを用いて印刷が行われる。状態ｂ１のインクは成分濃度が薄くなっており、状態ｂ２のインクは成分濃度が濃くなっているが、画質に悪影響を与えるほど大きく濃度が変化しているわけではない。また、これら状態ｂ１のインクおよび状態ｂ２のインクは、領域Ｂから領域Ａに移動した後、その状態で放置されているので、更に、インクチューブ１３６の断面方向へのインクの沈降も生じている。すなわち、状態ｂ１のインクは、インクの成分濃度が薄くなった状態から、更に断面方向にもインクの沈降が生じ、また、状態ｂ２のインクは、成分濃度が濃くなった状態から、更に断面方向の沈降が生じている。しかし、前述したようにインクチューブ１３６の断面方向に生じた沈降は、インクが流れることによって解消されるから、噴射ヘッド１３２に供給される時点では、状態ｂ１のインクは、成分濃度が薄いもののインク成分が均一に混ざったインクとなっており、状態ｂ２のインクは、成分濃度が濃いものの均一なインクとなっている。このため、領域Ａに移動された後にインクの沈降が生じても、領域Ａで生じた沈降による影響はほとんど受けることなく、画像を印刷することが可能である。
【００５５】
また、図６（ｃ）に示した状態から、画像の印刷が開始されないまま閾値時間が経過すると、領域Ｂの部分では、インクチューブ１３６の軸方向にインクの沈降が発生し、成分濃度の薄いインク（状態ｂ１のインク）と、成分濃度の濃いインク（状態ｂ２のインク）とが発生する。図６（ｄ）には、領域Ｂの部分でインクチューブ１３６の軸方向にインクの沈降が発生した様子が示されている。そこで、再び吸引ポンプ１４６を作動させて、噴射ヘッド１３２の噴射ノズルから所定量のインクを吸引する。すると、図６（ｅ）に示したように、領域Ａ（インクチューブ１３６の軸方向が略水平の部分）に存在する状態ａのインクが噴射ヘッド１３２に供給され、領域Ｂにあった状態ｂ１のインクおよび状態ｂ２のインクは、領域Ａに移動する。そして、領域Ｂの部分には、上流側（インクカートリッジ１３４側）から状態ａのインクが供給される。
【００５６】
こうして、噴射ヘッド１３２から所定量のインクを排出することによって、領域Ｂのインクを領域Ａに移動させたら、再び経過時間計時部１５２のタイマーをセットして、経過時間の計時を開始する。そして、閾値時間が経過する前に画像に印刷が開始された場合は、図６（ｅ）に示す状態から印刷が開始されることになる。その結果、噴射ヘッド１３２内のインクを噴射した後は、先ず初めに状態ａのインクを用いて印刷が行われ、続いて、状態ｂ１のインクが使用され、その次は状態ｂ２のインクを用いて印刷が行われる。これらのインクは、領域Ｂから領域Ａに移動した後、更に閾値時間以上の時間、放置されているので、その間に、インクチューブ１３６の断面方向にインクの沈降が生じているが、断面方向に生じた沈降はインクが流れることによってかなりの程度まで解消されるので、画質を悪化させることなく画像を印刷することが可能である。その後も、状態ｂ１のインクおよび状態ｂ２のインクを用いて画像が印刷されるが、これらのインクは、先に使用された状態ｂ１のインクおよび状態ｂ２のインクに比べて、放置時間が短く、更に噴射ヘッド１３２までの距離も長いので、インクの沈降が画質に与える影響は、より一層小さくなる。更に印刷を継続すると、状態ａのインクを用いて印刷が行われるが、このインクは噴射ヘッド１３２に達するまでに沈降が解消されるので、何らインクの沈降による影響を受けることなく画像を印刷することが可能となる。
【００５７】
このように本実施例の放置時インク管理処理では、領域Ｂでは画質に悪影響を与えるインクの沈降が発生するのに対して、領域Ａでは画質に悪影響を与える沈降が発生しない点に着目し、領域Ｂでのインクの沈降が許容限界に達する前に、所定量のインクを排出することによって、領域Ｂのインクを領域Ａに移動させる。こうして沈降の生じたインクを領域Ａに移動させてしまえば、その後、領域Ａでインクの沈降が発生しても、その沈降は、印刷の際にインクチューブ１３６をインクが流れることによって解消されるので、適切に画像を印刷することができる。その結果、領域Ｂでインクの沈降が生じても、そのインクを捨てることなく、画像の印刷に使用することが可能となるのである。
【００５８】
もちろん、領域Ｂで沈降が生じたインクを領域Ａに移動させるためには、噴射ヘッド１３２の噴射ノズルから所定量のインクを排出しなければならないので、無用に捨てるインクを皆無にできるわけではない。しかし、従来であれば、領域Ｂで沈降の生じたインクを捨てるために、より下流側（噴射ヘッド１３２側）のインクチューブ１３６内にある全てのインクと、噴射ヘッド１３２内の全てのインクとを捨てなければならないのに対して、本実施例のインクジェットプリンター１００では、領域Ｂのインクが領域Ａに移動するだけの分量のインク（領域Ｂに存在するインクの分量にほぼ等しい）を捨てるだけでよい。このため、印刷に用いることなく捨てるインクの分量を、大幅に抑制することが可能となっている。
【００５９】
また、本実施例のインクジェットプリンター１００では、閾値時間が経過する度に、所定量のインクが噴射ヘッド１３２から排出されており、このときにインクチューブ１３６内にインクの流れが生じる。このため、インクチューブ１３６内で沈降した成分が、閾値時間が経過する度に撹拌されて、断面方向へのインク成分の偏りが解消されることになる。その結果、領域Ｂの部分だけでなく、領域Ａの部分でも、インクの沈降が進行することを抑制することが可能となる。
【００６０】
図７は、本実施例の放置時インク管理処理によって、インクの排出量が抑制される理由を示した説明図である。ここでは一例として、印刷を終了してから７日間放置した後に、印刷を再開する場合を考える。前述したように、インクの沈降が画質に悪影響を与える許容限界時間は、７２時間（３日間）であることが実験的に分かっており、これを踏まえて、閾値時間は若干の余裕を見越して６０時間（２．５日間）に設定されている。
【００６１】
上述した本実施例の放置時インク管理処理によれば、印刷が終了した時点から経過時間の計時が開始され、経過時間が閾値時間に達すると（印刷終了から２．５日が経過時）、所定量（領域Ｂに存在するインク量に相当）のインクが噴射ヘッド１３２の噴射ノズルから排出される。図中では、このようにして排出されるインクの排出量を、斜線を付した棒グラフによって表している。こうして所定量のインクを排出することで、領域Ｂに存在していた状態ｂ１のインクおよび状態ｂ２のインクが領域Ａ（インクチューブ１３６の略水平な領域）に移動し、領域Ｂには、上流側から状態ａのインクが供給される（図６（ｃ）を参照のこと）。
【００６２】
その後、改めて経過時間の計時が開始され、経過時間が閾値時間に達すると（印刷終了から５日が経過時）、再び、所定量のインクが噴射ヘッド１３２から排出される。その結果、領域Ｂに供給された状態ａのインクが、沈降の影響によって状態ｂ１あるいは状態ｂ２のインクになった段階で領域Ａに移動し、領域Ｂには、上流側（インクカートリッジ１３４側）から状態ａのインクが供給された後、再び経過時間の計時が開始される（図６（ｅ）を参照のこと）。
【００６３】
そして、経過時間が閾値時間に達する前に７日間が経過して、印刷が開始される。この段階では、領域Ｂに存在するインクは、未だ沈降が許容限界まで進んでおらず、更に、領域Ｂから下流側（噴射ヘッド１３２側）の領域Ａに移動していたインクは、状態ｂ１または状態ｂ２のままに保たれている。もちろん、領域Ａにおいても、インクチューブ１３６の断面方向へのインクの沈降は生じるが、前述したように、この方向の沈降は、インクチューブ１３６内をインクが流れることによって速やかに解消される。その結果、印刷終了から７日間が経過した時点でも、噴射ヘッド１３２から無用にインクをほとんど排出することなく、画像の印刷を開始することが可能となる。
【００６４】
これに対して、本実施例の放置時インク管理処理を行わず、単純に放置していた場合は、印刷終了後から３日間が経過した時点で、領域Ｂにおけるインクの沈降が、画質に悪影響を与える程度まで進行する。そして、前述したように領域Ｂで生じる沈降は、インクチューブ１３６の軸方向に沈降性の成分が移動してしまうので、軸方向に成分濃度の偏りを発生させ、更に、このような軸方向への成分濃度の偏りは、インクチューブ１３６内をインクが流れることによっては解消しない。結局、印刷終了後からの放置時間が、許容限界時間（ここでは３日間）を超えた場合は、領域Ｂにあるインクを捨てる以外になく、そのためには、領域Ｂよりも下流側（噴射ヘッド１３２側）にあるインクチューブ１３６内のインクも、噴射ヘッド１３２内のインクも、全て排出しなければならなくなる。図７には、図中では、このようにして無用に排出されるインクの排出量を、黒く塗り潰した棒グラフによって表している。
【００６５】
図７から直ちに了解できるように、本実施例の放置時インク管理処理を行った場合には、印刷終了後から２．５日および５日が経過した時点で、所定量のインクを排出すればよい。これに対して、単純に放置した場合には、それより遙かに多量のインクを、印刷開始時に排出しなければならなくなる。すなわち、本実施例の放置時インク管理処理を行うことによって、インクの沈降が原因で排出するインク量を大幅に抑制することが可能となるのである。
【００６６】
尚、以上の説明では、インク中の溶媒（水やアルコールなど）に溶けずに懸濁している成分が、重力の影響で沈むことによって、インクの沈降が生じるものとして説明した。インクに添加されて懸濁した状態で存在する成分は、顔料のように、インクの溶媒よりも比重が大きいことが通常なので、長時間放置していると、懸濁していた成分が重力によって沈むことが通常である。しかし、油分などを界面活性剤で乳化させて、インクの溶媒中に懸濁させたインクが製造されることもある。このようなインクを長時間放置していると、懸濁していた油分などの微粒子が浮力によって上昇し、言わば「マイナスの沈降」が生じる。
【００６７】
図８は、インクジェットプリンター１００のインクチューブ１３６内で、マイナスの沈降が生じた様子を示した説明図である。前述した図４の場合には、沈降性の成分は、インクの溶媒よりも比重が大きいために、重力によって下方に移動する言わば「プラスの沈降」が生じたが、図８に示した例では、沈降性の成分（正確には、マイナスの沈降性の成分）は、インクの溶媒よりも比重が軽いため、浮力によって上方に移動する。その結果、図８（ａ）に示したように、インクチューブ１３６が略水平な領域Ａの部分では、インクチューブ１３６の断面方向に、成分濃度の濃く部分と薄い部分とが発生する。一方、図８（ｂ）に示したように、領域Ｂの部分では、インクチューブ１３６の軸方向に、成分濃度の濃く部分と薄い部分とが発生する。
【００６８】
図８に示したマイナスの沈降と、図４に示したプラスの沈降とを比較すれば明らかなように、成分濃度が濃い部分と薄い部分とが逆になっているものの、インクチューブ１３６内のインクには、マイナスの沈降が生じた場合でも、プラスの沈降が生じた場合と全く同様な現象が発生している。従って、前述したプラスの沈降を生じるインクに対しての説明は、マイナスの沈降を生じるインクに対しても全く同様に当て嵌まる。このため、本実施例の放置時インク管理処理を行うことで、マイナスの沈降が生じるインクを用いた場合にも、インクの排出量を大幅に抑制することが可能となる。
【００６９】
以上、本願発明の実施例、および各種の変形例について説明したが、本発明は上記に限られるものではなく、その要旨を逸脱しない範囲において種々の態様で実施することが可能である。
【符号の説明】
【００７０】
１００…インクジェットプリンター、                    １１０…本体ケース、
１１２…操作パネル、        １２０…給紙部、          １２２…スピンドル部、
１２４…カバー部、          １３０…インク噴射部、    １３２…噴射ヘッド
１３４…インクカートリッジ、                          １３６…インクチューブ、
１４０…インクメンテナンス部、                        １４２…キャップ、
１４４…廃インクタンク、    １４６…吸引ポンプ、      １５０…制御部、
１５２…経過時間計時部、    １６０…駆動部、          １６２…ガイドレール、
１６４…駆動ベルト、      １６６…プーリー、        １６８…駆動モーター、
１７０…紙送り部、        １７２…紙送りローラー、  １７４…紙送りモーター
【図１】
0005564888.tif 000002
【図２】
0005564888.tif 000003
【図３】
0005564888.tif 000004
【図４】
0005564888.tif 000005
【図５】
0005564888.tif 000006
【図６】
0005564888.tif 000007
【図７】
0005564888.tif 000008
【図８】
0005564888.tif 000009